(57)【要約】【目的】  弱電界になったら映像デコーダＩＣやグラフィックＬＳＩを有しないテレビ放送受信装置における画像乱れシーケンスを経るようにして目障り感やいらだち感を軽減する「テレビ放送受信装置」を提供することである。【構成】  テレビ放送受信装置の映像デコーダＩＣ １３はアナログのＴＶ信号をデジタルのＴＶ映像信号に変換し、グラフィックＬＳＩ １４は生成したデジタルのグラフィック映像とデジタルのＴＶ映像を適宜重ね合わせて表示部１６に表示する。かかるテレビ放送受信装置において、弱電界になって受信状態が悪化すれば、セレクタ１５はアナログのＴＶ信号を表示部に切り替え入力する。【選択図】        図１
2006033668.tif 000002
【特許請求の範囲】
【請求項１】
テレビ映像とグラフィック映像を重ねて表示するテレビ放送受信装置において、
アナログのテレビ信号を出力するテレビチューナ、
アナログのテレビ信号をデジタルのテレビ映像信号に変換する変換部、
デジタルでグラフィック映像信号を発生し、該グラフィック映像信号と前記デジタルのテレビ映像信号を合成して出力する映像処理部、
テレビチューナによるテレビ信号の受信状態を検出する受信状態検出部、
受信状態が良好であれば前記映像処理部から出力する映像信号を選択し、受信状態が悪化すれば前記アナログのテレビ信号を選択する選択部、
前記選択された信号に基づいて映像表示する表示部、
を備えたことを特徴とするテレビ放送受信装置。
【請求項２】
前記受信状態検出部は、テレビチューナから出力されるテレビ信号の受信電界強度に基づいて受信状態の良否を判定することを特徴とする請求項1記載のテレビ放送受信装置。
【請求項３】
前記受信状態検出部は、前記変換部から出力するデジタルのテレビ映像信号に含まれる同期信号の正常、異常に基づいて受信状態の良否を判定することを特徴とする請求項1記載のテレビ放送受信装置。
【発明の詳細な説明】
【技術分野】
【０００１】
本発明はテレビ映像とグラフィック映像を重ねて表示するテレビ放送受信装置に係わり、特に、テレビ信号の受信状態が悪化した時の表示の仕方に特徴を有するテレビ放送受信装置に関する。
【背景技術】
【０００２】
現在のテレビ放送受信装置は、テレビ映像に適宜グラフィック映像を重ねて表示できるようになっている。図４はかかるテレビ放送受信装置の構成図であり、ＴＶチューナー１はマイコン2から指示された放送局のテレビ放送信号を受信し、べースバンドのＮＴＳＣ方式あるいはＰＡＬ方式等のアナログテレビ信号(ＴＶ信号)にして出力する。映像デコーダＩＣ ３は入力されたアナログＴＶ信号をデジタルのＴＶ映像信号、たとえば、デジタルのＹＵＶ信号(輝度／色信号)にデコードしてナビゲーション装置内蔵のグラフィックＬＳＩ ４に入力する。グラフィックＬＳＩ ４は、適宜グラフィック映像を発生し、該グラフィック映像とＴＶ映像を重ね合わせ合成し、合成映像信号をＲＧＢ信号に変換してデジタルあるいはアナログで出力する。タッチパネル式ＬＣＤ ５は液晶表示器（ＬＣＤ）の上に透明タッチパネルを取り付けた構成を備え、グラフィックＬＳＩ ４から入力するＲＧＢ信号によりＬＣＤ上にＴＶ映像あるいはグラフィック映像あるいはこれらの重ね合わせ映像を表示する。タッチパネル式ＬＣＤ ５はタッチスイッチとしての機能を備え、タッチスイッチがオンすればスイッチ信号をマイコン2に入力し、マイコンは該スイッチ信号に基づいて所定の処理を行なう。なお、ナビゲーション制御部６からグラフィックＬＳＩ ４にナビゲーション映像信号が入力するようになっている。
【０００３】
図５はグラフィックＬＳＩ ４が、電源オン時あるいはスクリーンタッチ時にマイコン２からの指示により発生するグラフィック映像（メニューキー映像MNIM）の例であり、メニューキー映像MNIMをＴＶ映像ＴＶIMと重ねて表示した場合を示している。このメニューキー映像MNIMは、局選択メニューキーや表示映像切替メニューキーなどの機能キーを有している。図6はナビゲーション映像NVIMとＴＶ映像 ＴＶIMとの重ね合わせ表示が要求された時にグラフィックＬＳＩ ４が発生する重ね合わせ映像の表示例であり、ＴＶ映像は右上に縮小配置され、地図や車両走行道路名／車両位置等を表示するナビゲーション映像NVIMはＴＶ映像上に一部重ねて配置される。
テレビ放送受信装置には弱電界時における受信状態を改善するため種々の工夫がなされている。チューナーの温度ドリフトなどにより局部発振周波数が変化しても選局がずれないようにするＡＦＴ (Automatic Fine Tuning)技術もその一つである(特許文献１参照)。
【特許文献１】特開２００２−３１４３８１号公報
【発明の開示】
【発明が解決しようとする課題】
【０００４】
車載のテレビ放送受信装置は、車が走行すると車両周辺の環境によってＴＶ信号電波が弱電界になり、ＬＣＤに表示するＴＶ映像が乱れる。この場合、グラフィックＬＳＩ ４を備えたテレビ放送受信装置では、
ＴＶ信号弱電界→ＴＶチューナーの出力信号が乱れる→映像デコーダＩＣ ３の出力が乱れる
というシーケンスになる。映像デコーダＩＣ ３の出力が乱れると、該映像デコーダＩＣから出力される同期信号の周期が乱れたり、一瞬途切れたりする。かかる現象が生じると、グラフィックＬＳＩ ４が正常に動作できなくなり、図７、図８に示すような映像を短い周期で繰り返し表示する。図７は一部分が黒くなる現象、図８は全面が黒くなったり、メッシュ状に黒くなったりする現象で、映像デコーダＩＣやグラフィックＬＳＩの種類により症状は異なる。このように図７、図８に示す映像が短い周期で繰り返し表示されるとユーザにとって目障りになる。すなわち、短い周期でＴＶ映像が見えたり、図7、図8の表示になったりすると画面が白くなったり、黒くなったりして目障りであり、精神的にも好ましくない。
【０００５】
特許文献１の従来技術は弱受信電界時における受信状態を改善するものではあるが、弱電界時における図7、図８の表示をなくすものではない。
ところで、映像デコーダＩＣやグラフィックＬＳＩを有しないテレビ放送受信装置における弱電界時の画像乱れのシーケンスは、
映像が揺れてくる→色が消えて白黒映像になる→砂嵐映像になる
という過程を経る。このような画像の乱れは見慣れていることもあるが、映像が良くなったり悪くなったり（画面が白くなったり、黒くなったり）を繰返さないため、それほど目障りではなく、精神的にもいらつかない。
以上から本発明の目的は、弱電界になったら映像デコーダＩＣやグラフィックＬＳＩを有しないテレビ放送受信装置における画像乱れシーケンスを経るようにして目障り感やいらだち感を軽減することである。
【課題を解決するための手段】
【０００６】
上記課題は本発明によれば、テレビ映像とグラフィック映像を重ねて表示するテレビ放送受信装置において、アナログのテレビ信号を出力するテレビチューナー、アナログのテレビ信号をデジタルのテレビ映像信号に変換する変換部、デジタルでグラフィック映像信号を発生し、該グラフィック映像信号と前記デジタルのテレビ映像信号を合成して出力する映像処理部、テレビチューナーによるテレビ信号の受信状態を検出する受信状態検出部、受信状態が良好であれば前記映像処理部から出力する映像信号を選択し、受信状態が悪化すれば前記アナログのテレビ信号を選択する選択部、前記選択された信号に基づいて映像表示する表示部を備えたテレビ放送受信装置により達成される。
前記受信状態検出部は、テレビチューナーから出力されるテレビ信号の受信電界強度に基づいて受信状態の良否を判定する。あるいは、前記変換部から出力するデジタルのテレビ映像信号に含まれる同期信号の正常、異常に基づいて受信状態の良否を判定する。
【発明の効果】
【０００７】
本発明によれば、受信状態が悪化した時、アナログのテレビ映像信号に切り替えて表示するようにしたから、図7、図８の映像が繰返し表示されることはなく、しかも、映像デコーダＩＣやグラフィックＬＳＩを有しないテレビ放送受信装置における弱電界時の画像乱れのシーケンスを経て砂嵐状態になるため、目障り感やいらだち感を軽減することができる。
【発明を実施するための最良の形態】
【０００８】
アナログのテレビ映像信号をデジタルのテレビ映像信号に変換し、デジタルのグラフィック映像信号と該デジタルのテレビ映像信号を適宜重ね合わせて表示部に入力して表示するテレビ放送受信装置において、弱電界になってテレビ受信状態が悪化すれば、アナログのテレビ映像信号を表示部に切り替え入力する。このようにすれば、受信状態が悪化した時、映像デコーダＩＣやグラフィックＬＳＩを有しないテレビ放送受信装置における弱電界時の画像乱れのシーケンスを経て砂嵐状態になるため、目障り感やいらだち感を軽減することができる。
【実施例１】
【０００９】
図１は本発明の第1実施例のテレビ放送受信装置の構成図である。ＴＶチューナー１１はマイコン１2から指示された放送局のテレビ放送信号を受信し、べースバンドのＮＴＳＣ方式あるいはＰＡＬ方式等のアナログＴＶ信号にして映像デコーダＩＣ 13及びセレクタ１５に入力する。また、ＴＶチューナー１１は、受信電界強度を示すＳメータ信号を出力する端子を備え、Ｓメータ信号をマイコン１２に入力する。マイコン１２はＳメータ信号レベルと閾値を比較して受信状態の良否を判定し、判定結果をセレクタ１５に入力する。
映像デコーダＩＣ １３は入力されたアナログＴＶ信号をITU-R勧告BT.601あるいはBT.656のデジタルのＴＶ映像信号、すなわちデジタルのＹＵＶ信号(デジタルの輝度／色信号)にデコードしてグラフィック映像処理部（グラフィックＬＳＩ）１４に入力する。なお、映像デコーダＩＣ １３としては、沖電気のML86V7667 (NTSC／PALビデオデコーダＬＳＩ)を用いることができる。
【００１０】
ナビゲーション装置内蔵のグラフィックＬＳＩ １４は、適宜グラフィック映像(たとえば選局用のメニュー映像、ナビゲーション映像等)を生成し、該グラフィック映像とＴＶ映像を重ね合わせ合成し、合成映像信号をＲＧＢ信号に変換してアナログで出力する。セレクタ１５は、ＴＶ信号の受信状態に基づいてＴＶチューナー１１から入力するアナログのＴＶ信号とグラフィックＬＳＩ １４から入力するアナログのＲＧＢ信号の一方を選択してタッチパネル式ＬＣＤ １６に入力する。すなわち、セレクタ１５は、Ｓメータ信号レベルが閾値より大きく受信状態が良好であれば、グラフィックＬＳＩ １４から出力するＲＧＢ信号を選択してタッチパネル式ＬＣＤ １６に入力し、Ｓメータ信号レベルが閾値より小さく受信状態が不良であれば、ＴＶチューナー１１から出力するアナログのＴＶ信号を選択してタッチパネル式ＬＣＤ １６に入力する。
【００１１】
タッチパネル式ＬＣＤ １６は液晶表示器（ＬＣＤ）の上に透明タッチパネルを取り付けた構成を備え、グラフィックＬＳＩ １４から入力するＲＧＢ信号あるいはＴＶチューナー１１から入力するＴＶ信号によりＬＣＤ上にＴＶ映像あるいはグラフィック映像あるいはこれらの重ね合わせ映像を表示する。タッチパネル式ＬＣＤ １６はタッチスイッチとしての機能を備え、タッチスイッチがオンすればスイッチ信号をマイコン１２に入力し、マイコン１２は該スイッチ信号に基づいて所定の選局制御、表示映像切替制御等を行なう。なお、グラフィックＬＳＩ １４にナビゲーション制御部２１からナビゲーション映像信号が入力するようになっている。
【００１２】
図２は本発明の映像表示制御処理フローである。
初期時、受信状態が良好であるものとすれば、セレクタ１５はグラフィックＬＳＩ １４から出力されるＲＧＢ信号をタッチパネル式ＬＣＤ １６に入力して、ＴＶ映像あるいはグラフィック映像あるいはこれらの重ね合わせ映像を表示する(ステップ１０１)。いずれの映像を表示するかはマイコン１２からグラフィックＬＳＩ １４に指示される。ついで、マイコン１２は、Ｓメータ信号レベルが閾値以下になったか、すなわち、受信状態が悪化したかチェックし(ステップ１０２)、Ｓメータ信号レベルが閾値より大きく、受信状態が良好であればステップ１０１に戻り、グラフィックＬＳＩ １４から出力され映像の表示を継続する。
【００１３】
一方、ステップ１０２において、Ｓメータ信号レベルが閾値以下になれば、すなわち、受信状態が悪化すれば、セレクタ１５はＴＶチューナー１１から出力するアナログＴＶ信号を選択してタッチパネル式ＬＣＤ １６に入力してＴＶ映像を表示する(ステップ１０３)。このとき受信電界強度が弱電界になっているため画像の乱れが生じ、映像の揺れ→白黒映像表示、という過程を経て砂嵐映像になる。すなわち、弱電界時にＴＶチューナー１１から出力するアナログＴＶ信号によりＴＶ画像を表示するため、図7、図８に示す画像の乱れが発生しない。なお、砂嵐映像とは、ＴＶ放送電波の送出を停止したテレビ放送局を選局した時にＴＶ画面に現れる映像である。
以後、Ｓメータ信号レベルが閾値より大きくなったか、すなわち、受信状態が良好になったかチェックし(ステップ１０４)、受信状態が良くなければステップ１０３に戻る。一方、Ｓメータ信号レベルが閾値より大きくなれば、ステップ１０１に戻る。これにより、セレクタ１５はグラフィックＬＳＩ １４から出力するＲＧＢ信号を選択し、タッチパネル式ＬＣＤ １６は該ＲＧＢ信号に基づいて映像を表示する。
【実施例２】
【００１４】
図３は本発明の第２実施例のテレビ放送受信装置の構成図であり、図１の第１実施例と同一部分には同一符号を付している。異なる点は、同期正常／異常検出部３１を設け、マイコン１２が受信状態の良否を、デジタルＴＶ映像信号に含まれる同期信号の正常／異常に基づいて決定している点である。すなわち、弱電界になると、映像デコーダＩＣ １３から出力するデジタルＴＶ映像信号に含まれる同期信号の周期が乱れたり、同期信号が一瞬途切れたりする。そこで、同期正常／異常検出部３１はかかる同期信号の正常／異常を検出し、検出結果をマイコン１２に入力する。マイコン１２は同期信号が異常の場合には、受信状態不良とみなし、同期信号が正常の場合には、受信状態良好とみなし、良否判定結果をセレクタ１５に入力する。セレクタ１５は第１実施例と同様に受信状態に基づいて所定の信号を選択してタッチパネル式ＬＣＤ １６に入力する。
以上、第2実施例によっても、図7、図８に示す画像の乱れが発生せず、映像の揺れ→白黒映像という過程を経て砂嵐映像になる。
以上、本発明によれば、受信状態が悪化した時、アナログのテレビ映像信号に切り替えて表示するようにしたから、目障り感やいらだち感を軽減することができる。実施例では、グラフィックＬＳＩがナビゲーション装置に内蔵されているが、ナビゲーション装置に内蔵する必要はない。
【図面の簡単な説明】
【００１５】
【図１】本発明の第1実施例のテレビ放送受信装置の構成図である。
【図２】本発明の映像表示制御処理フローである。
【図３】本発明の第２実施例のテレビ放送受信装置の構成図である。
【図４】従来のテレビ放送受信装置の構成図である。
【図５】グラフィックＬＳＩが、電源オン時あるいはスクリーンタッチ時に発生するグラフィック映像（メニューキー映像MNIM）の例である。
【図６】ナビゲーション映像とＴＶ映像との重ね合わせ表示が要求された時の表示例である。
【図７】弱電界時において一部分の表示が黒くなる現象の説明図である。
【図８】弱電界時において全面の表示が黒くなったり、メッシュ状に黒くなったりする現象の説明図である。
【符号の説明】
【００１６】
１１  ＴＶチューナー
１２  マイコン
１３  映像デコーダＩＣ
１４  グラフィックＬＳＩ
１５  セレクタ
１６  タッチパネル式ＬＣＤ
２１  ナビゲーション装置
【図１】
2006033668.tif 000003
【図２】
2006033668.tif 000004
【図３】
2006033668.tif 000005
【図４】
2006033668.tif 000006
【図５】
2006033668.tif 000007
【図６】
2006033668.tif 000008
【図７】
2006033668.tif 000009
【図８】
2006033668.tif 000010